(57)【要約】【課題】充電部が露出しないようにする。【解決手段】ケーブルアウトレット１０は、第１端子７１，８１と、第２端子７２，８２と、ボディ１と、化粧プレート５と、カバー４とを備える。第１端子７１，８１は、厚み方向の両側に第１面及び第２面を有する造営材によって仕切られた一方の第１空間の第１ケーブルが接続される。第２端子７２，８２は、第１端子７１，８１に電気的に接続され、造営材によって仕切られた他方の第２空間の第２ケーブルが接続される。ボディ１は、第１端子７１，８１及び第２端子７２，８２を保持する。化粧プレート５は、第１端子７１，８１及び第２端子７２，８２を覆うようにボディ１に取り付けられる。カバー４は、第１端子７１，８１を含む充電部を覆う。カバー４は、造営材の厚み方向においてボディ１と化粧プレート５との間に配置され、ボディ１に取り付けられる。【選択図】図２
2019103184.tif 000002
【特許請求の範囲】
【請求項１】
厚み方向の両側に第１面及び第２面を有する造営材によって仕切られた一方の第１空間の第１ケーブルが接続される第１端子と、
前記第１端子に電気的に接続され、前記造営材によって仕切られた他方の第２空間の第２ケーブルが接続される第２端子と、
前記第１端子及び前記第２端子を保持するボディと、
前記第１端子及び前記第２端子を覆うように前記ボディに取り付けられる化粧プレートと、
前記第１端子を含む充電部を覆うカバーと、を備え、
前記カバーは、前記造営材の厚み方向において前記ボディと前記化粧プレートとの間に配置され、前記ボディに取り付けられる
ケーブルアウトレット。
【請求項２】
前記化粧プレートは、前記化粧プレートと前記ボディとの一方に設けられた引掛爪を、前記化粧プレートと前記ボディとの他方に設けられた引掛部に引っ掛けることで前記ボディに取り付けられ、
前記カバーは、ねじで前記ボディに取り付けられる
請求項１に記載のケーブルアウトレット。
【請求項３】
前記ねじと結合可能であって、前記ボディに固定されるねじ固定部を更に備え、
前記ねじ固定部は、
前記厚み方向における前記第１空間側に位置し、前記ボディにかしめ固定されるかしめ部と、
前記厚み方向における前記第２空間側に位置し、前記第２面から前記第１面に向かう向きへの前記ねじ固定部の移動を規制する移動規制部と、を含む
請求項２に記載のケーブルアウトレット。
【請求項４】
前記カバーは、前記厚み方向と交差する方向における一端部に、前記ボディとの間で前記第１ケーブルを挟む張力止め部を有する
請求項１〜３のいずれか１項に記載のケーブルアウトレット。
【請求項５】
前記カバーは、電気絶縁性を有する
請求項１〜４のいずれか１項に記載のケーブルアウトレット。
【請求項６】
前記カバーは、前記第１ケーブルにおける前記第１端子との接続部位のみに対向する確認窓を有する
請求項１〜５のいずれか１項に記載のケーブルアウトレット。
【請求項７】
前記ボディに前記カバーを取り付けた状態において、前記第１ケーブルが通り、前記カバーの外側に前記第１ケーブルを露出させるケーブル挿通部を更に備える
請求項１〜６のいずれか１項に記載のケーブルアウトレット。
【請求項８】
前記厚み方向と交差する方向から見て前記ケーブル挿通部と重なるように配置される蓋体を更に備え、
前記蓋体は、前記厚み方向と交差する方向に開口するスリットを前記蓋体に形成する場合に前記スリットの形成を支援するスリット支援部を有する
請求項７に記載のケーブルアウトレット。
【請求項９】
前記ボディに対して、前記充電部を露出させる開位置と前記充電部を覆う閉位置との間で前記カバーが回転可能な状態で、前記ボディに対して前記カバーを支持する回転構造を更に備える
請求項１〜８のいずれか１項に記載のケーブルアウトレット。
【請求項１０】
前記回転構造は、
前記ボディと前記カバーとの一方からなる第１部材に設けられる軸部と、
前記ボディと前記カバーとの他方からなる第２部材に設けられ、前記軸部を回転可能に保持する軸受部と、を含む
請求項９に記載のケーブルアウトレット。
【請求項１１】
前記軸受部は、前記軸部が差し込まれる凹部であり、
前記軸部は、前記ボディに前記カバーを取り付けた状態において前記凹部の底面と対向する対向面を有し、
前記対向面は、
前記底面に接触する第１対向面と、
前記第１対向面と連続し、前記第１対向面から離れるにつれて前記底面から離れる向きに、前記第１対向面に対して傾斜する第２対向面と、を含む
請求項１０に記載のケーブルアウトレット。
【請求項１２】
前記回転構造は、前記カバーが前記開位置に位置している状態で前記開位置から前記閉位置への前記カバーの回転を規制する回転規制部を含む
請求項９〜１１のいずれか１項に記載のケーブルアウトレット。
【請求項１３】
前記ボディは、少なくとも前記化粧プレートが取り付けられる部位が樹脂からなる
請求項１〜１２のいずれか１項に記載のケーブルアウトレット。
【発明の詳細な説明】
【技術分野】
【０００１】
本開示は、一般にケーブルアウトレットに関し、より詳細には、造営材に取り付けられるケーブルアウトレットに関する。
【背景技術】
【０００２】
特許文献１には、施工面に取り付けられるスピーカターミナルが記載されている。特許文献１に記載のスピーカターミナルは、合成樹脂製であって後方が開放された箱状の器体と、器体の前面側に設けられる端子部と、器体の背面側に設けられる接続部と、を備える。特許文献１に記載のスピーカターミナルが施工面に取り付けられた状態では、施工面の前面側に端子部が位置し、施工面の背面側に接続部が位置している。そして、第１のスピーカケーブルを端子部に接続し、第２のスピーカケーブルを接続部に接続することによって、端子部及び接続部を介して第１のスピーカケーブルと第２のスピーカケーブルとが電気的に接続される。
【先行技術文献】
【特許文献】
【０００３】
【特許文献１】特開２００６−３５１５０９号公報
【発明の概要】
【発明が解決しようとする課題】
【０００４】
ところで、特許文献１に記載のスピーカターミナルのようなケーブル接続構造を強電用のケーブルに用いた場合、施工面（造営材）の前面側（第１空間側）に位置する端子部（充電部）が露出しない構造が望まれている。
【０００５】
本開示は上記問題点に鑑みて為されており、充電部が露出しないようにすることができるケーブルアウトレットを提供することを目的とする。
【課題を解決するための手段】
【０００６】
本開示の一態様に係るケーブルアウトレットは、第１端子と、第２端子と、ボディと、化粧プレートと、カバーと、を備える。前記第１端子は、厚み方向の両側に第１面及び第２面を有する造営材によって仕切られた一方の第１空間の第１ケーブルが接続される。前記第２端子は、前記第１接続端子に電気的に接続され、前記造営材によって仕切られた他方の第２空間の第２ケーブルが接続される。前記ボディは、前記第１端子及び前記第２端子を保持する。前記化粧プレートは、前記第１端子及び前記第２端子を覆うように前記ボディに取り付けられる。前記カバーは、前記第１端子を含む充電部を覆う。前記カバーは、前記造営材の厚み方向において前記ボディと前記化粧プレートとの間に配置され、前記ボディに取り付けられる。
【発明の効果】
【０００７】
本開示によれば、充電部が露出しないようにすることができる、という効果がある。
【図面の簡単な説明】
【０００８】
【図１】図１は、本開示の一実施形態に係るケーブルアウトレットを用いた電力供給システムの概略構成図である。
【図２】図２は、同上のケーブルアウトレットの分解斜視図である。
【図３】図３は、同上のケーブルアウトレットを造営材に取り付けた状態を示す断面図である。
【図４】図４Ａは、同上のケーブルアウトレットに用いられるボディの正面図、図４Ｂは右側面図、図４Ｃは背面図である。
【図５】図５Ａは、同上のケーブルアウトレットに用いられるカバーの正面図、図５Ｂは右側面図、図５Ｃは背面図、図５Ｄは底面図である。
【図６】図６は、同上のケーブルアウトレットに用いられる化粧プレート及び蓋体の分解斜視図である。
【図７】図７は、同上のケーブルアウトレットに用いられるボディを斜め下方から見た斜視図である。
【図８】図８は、同上のケーブルアウトレットに用いられるボディ及びカバーの要部を拡大した断面図である。
【図９】図９は、同上のケーブルアウトレットに用いられるカバーの開閉動作を説明する説明図である。
【図１０】図１０は、同上のケーブルアウトレットにおいてボディにカバーを取り付けるための取付構造を示す断面図である。
【図１１】図１１Ａ〜図１１Ｃは、同上のケーブルアウトレットに対する第１ケーブルの接続状態を説明する説明図である。
【発明を実施するための形態】
【０００９】
（１）ケーブルアウトレットの概要
本実施形態に係るケーブルアウトレット１０の概要について、図１〜図３を参照して説明する。
【００１０】
本実施形態に係るケーブルアウトレット１０は、例えば、中東向けのケーブルアウトレットである。本実施形態に係るケーブルアウトレット１０は、図１に示すように、電力供給システム２００に用いられる。つまり、本実施形態に係るケーブルアウトレット１０は、エアーコンディショナ４０のような電気機器と分電盤３０とを接続するための接続装置である。
【００１１】
本実施形態に係るケーブルアウトレット１０は、図１に示すように、３本の第１ケーブルＣＡ１を介してエアーコンディショナ４０に接続されている。また、本実施形態に係るケーブルアウトレット１０は、図１に示すように、３本の第２ケーブルＣＡ２及びスイッチ（クッカースイッチ）２０を介して分電盤３０に接続されている。スイッチ２０は、例えば、定格電流が４５〔Ａ〕のメカニカルスイッチである。スイッチ２０には、２本の第２ケーブルＣＡ２が接続されている。つまり、図１に示す例では、ケーブルアウトレット１０と分電盤３０とがスイッチ２０を介して接続されている。スイッチ２０がオフの状態では、分電盤３０とエアーコンディショナ４０とが電気的に接続されておらず、分電盤３０からエアーコンディショナ４０に電力が供給されない。スイッチ２０がオンにされると、分電盤３０とエアーコンディショナ４０とが電気的に接続され、分電盤３０からエアーコンディショナ４０に電力が供給される。
【００１２】
上述のようなケーブルアウトレットでは、接続端子等を含む充電部が工具なしで簡単に露出するような構造は好ましくない。一例として、ＢＳ（British Standards）規格では、充電部が簡単に露出しない構造が求められている。
【００１３】
本実施形態に係るケーブルアウトレット１０は、図２及び図３に示すように、第１端子７１，８１と、第２端子７２，８２と、ボディ１と、化粧プレート５と、カバー４と、を備えている。第１端子７１，８１には、厚み方向（前後方向）の両側に第１面１０１及び第２面１０２を有する造営材１００によって仕切られた一方の第１空間ＳＰ１の第１ケーブルＣＡ１が接続される。第２端子７２，８２は、第１端子７１，８１に電気的に接続され、造営材１００によって仕切られた他方の第２空間ＳＰ２の第２ケーブルＣＡ２が接続される。ボディ１は、第１端子７１，８１及び第２端子７２，８２を保持する。化粧プレート５は、第１端子７１，８１及び第２端子７２，８２を覆うようにボディ１に取り付けられる。カバー４は、第１端子７１，８１を含む充電部１３（図４Ａ参照）を覆う。カバー４は、造営材１００の厚み方向においてボディ１と化粧プレート５との間に配置され、ボディ１に取り付けられる。
【００１４】
本実施形態に係るケーブルアウトレット１０は、上述のように、第１端子７１，８１を含む充電部１３がカバー４によって覆われており、化粧プレート５を取り外した状態でも充電部１３が露出しないようにすることができる。その結果、人が充電部１３に触れにくくなっており、充電部１３による感電を低減することができる。
【００１５】
（２）ケーブルアウトレットの構成
本実施形態に係るケーブルアウトレット１０の構成について、図２〜図６を参照して説明する。以下の説明では、図面に示すように、造営材１００の厚み方向を前後方向、造営材１００の厚み方向と直交する方向で、かつ複数の第１端子７１，８１（又は第２端子７２，８２）が並ぶ方向を左右方向と規定する。また、以下の説明では、前方から見て、第１端子７１（又は第１端子８１）と第２端子７２（又は第２端子８２）とが並ぶ方向を上下方向と規定する。但し、これらの方向はケーブルアウトレット１０の使用方向を規定する趣旨ではない。また、図面中の「前」、「後」、「左」、「右」、「上」、「下」を示す矢印は説明のために表記しているに過ぎず、実体を伴わない。
【００１６】
本実施形態に係るケーブルアウトレット１０は、図３に示すように、造営材１００の裏面側（後面側）に埋め込まれた金属製のボックス３００に、２つのねじＳ１（図２参照）を用いて固定される。これにより、ケーブルアウトレット１０が造営材１００に取り付けられる。造営材１００は、図３に示すように、厚み方向（前後方向）の両側に第１面１０１及び第２面１０２を有している。本実施形態では、第１面１０１が表面であり、第２面１０２が裏面である。造営材１００は、図３に示すように、１つの対象空間を、第１空間ＳＰ１と第２空間ＳＰ２とに仕切るための仕切り壁である。第１空間ＳＰ１は、造営材１００に対して第１面１０１側（前側）の室内空間である。第２空間ＳＰ２は、造営材１００に対して第２面１０２側（後側）の壁裏空間である。
【００１７】
本実施形態に係るケーブルアウトレット１０は、第１端子部７に含まれる第１端子７１と第２端子７２とが電気的に接続され、かつ第２端子部８に含まれる第１端子８１と第２端子８２とが電気的に接続されている。そして、第１空間ＳＰ１側の第１ケーブルＣＡ１が第１端子７１，８１に接続され、かつ第２空間ＳＰ２側の第２ケーブルＣＡ２が第２端子７２，８２に接続されることで、第１ケーブルＣＡ１と第２ケーブルＣＡ２とが電気的に接続される。
【００１８】
本実施形態に係るケーブルアウトレット１０は、図２に示すように、ボディ１と、カバー４と、化粧プレート５と、蓋体６と、第１端子部７と、複数（図示例では２つ）の第２端子部８と、を備えている。また、本実施形態に係るケーブルアウトレット１０は、複数（図示例では２つ）の第１ねじ固定部（ねじ固定部）９Ａと、複数（図示例では２つ）の第２ねじ固定部９Ｂと、を更に備えている。
【００１９】
ボディ１は、図２及び図４Ａ〜図４Ｃに示すように、ボディプレート２と、ボディケース３と、で構成されている。ボディプレート２及びボディケース３は、例えば、ユリア樹脂からなる成形品である。
【００２０】
ボディプレート２は、プレート本体２１と、第１収納部２２と、凹所２３と、複数（図示例では２つ）の仕切り壁２４と、を有している。
【００２１】
プレート本体２１は、正面視の（前方から見た）形状が矩形状である。プレート本体２１の上下方向の中央部で、かつ左右方向の両端部には、前後方向に貫通する円形の貫通孔２１１がそれぞれ設けられている。各貫通孔２１１には、ねじＳ１と結合可能な第２ねじ固定部９Ｂが取り付けられる（かしめ固定される）。また、プレート本体２１の四隅近傍には、前後方向に貫通する矩形の貫通孔からなる引掛部２１２がそれぞれ設けられている。さらに、プレート本体２１の前面には、一対の溝２１３が設けられている。一対の溝２１３は、プレート本体２１の下端部で、かつ凹所２３の左右方向の両側に設けられている。また、プレート本体２１の後面には、ボディプレート２にボディケース３を取り付けるためのねじＳ３が結合可能な複数（本実施形態では４つ）のねじ部が設けられている。
【００２２】
第１収納部２２は、正面視の形状が左右方向に長い矩形状であり、プレート本体２１の前面から前方に突出している。第１収納部２２の内部空間は、左右方向において複数（本実施形態では３つ）の収納エリアに仕切られている。複数の収納エリアの各々には、第１端子部７の第１端子７１又は第２端子部８の第１端子８１が収納される。
【００２３】
第１収納部２２の前面には、前後方向に貫通する複数（図示例では３つ）のねじ挿通孔２２１が左右方向に等間隔に設けられている。各ねじ挿通孔２２１は、正面視の形状が円形状である。各収納エリアに第１端子７１又は第１端子８１が収納された状態では、第１端子７１又は第１端子８１に付属するねじＳ４が各ねじ挿通孔２２１から露出している（図４Ａ参照）。また、第１収納部２２の下面には、上下方向に貫通する複数（図示例では３つ）の貫通孔２２２が左右方向に等間隔に設けられている。各貫通孔２２２は、下側から見た形状が半楕円形状である。各収納エリアに第１端子７１又は第１端子８１が収納された状態では、第１端子７１又は第１端子８１が各貫通孔２２２から露出している（図７参照）。
【００２４】
また、第１収納部２２の左右方向の両側面には、それぞれ、軸受部２２４と、リブ２２５，２２６と、が設けられている。軸受部２２４は、本実施形態では、左右方向に凹む凹部２２７（図８参照）である。凹部２２７は、左右方向から見た形状が半楕円形状である。リブ２２５，２２６は、前後方向に長い棒状であり、第１収納部２２の右側面又は左側面から右方又は左方に突出している。リブ２２５は、軸受部２２４の上側に位置し、リブ２２６は、軸受部２２４の下側に位置している。また、リブ２２６は、リブ２２５よりも短い。
【００２５】
凹所２３は、プレート本体２１の前面において第１収納部２２の下側に設けられている。凹所２３は、正面視の形状が矩形状である。凹所２３の底面（後面）には、複数（図示例では３つ）のねじ挿通孔２３１と、複数（図示例では２つ）の貫通孔２３２と、が設けられている。各ねじ挿通孔２３１及び各貫通孔２３２は、正面視の形状が円形状であり、前後方向に貫通している。複数のねじ挿通孔２３１は、凹所２３の底面の上端部において左右方向に等間隔に設けられている。複数の貫通孔２３２は、凹所２３の底面の下端部において左右方向の両端部にそれぞれ設けられている。後述する第２収納部３２の各収納エリア３２２に第２端子７２又は第２端子８２が収納された状態では、第２端子７２又は第２端子８２に付属するねじＳ４が各ねじ挿通孔２３１から露出している（図４Ａ参照）。また、各貫通孔２３２には、ねじＳ２と結合可能な第１ねじ固定部９Ａが取り付けられる（図１０参照）。
【００２６】
複数の仕切り壁２４の各々は、左右方向から見た形状がＬ字状であり、第１収納部２２の下面から凹所２３の底面にかけて形成されている。各仕切り壁２４は、左右方向において隣り合う２つの貫通孔２２２の間、及び２つのねじ挿通孔２３１の間に設けられている。
【００２７】
ボディケース３は、ケース本体３１と、第２収納部３２と、複数（図示例では３つ）の端子載置部３３と、複数（図示例では４つ）の取付部３４と、を有している。ケース本体３１は、正面視の（前方から見た）形状が矩形状である。
【００２８】
第２収納部３２は、後方から見た形状が左右方向に長い矩形状であり、ケース本体３１の後面から後方に突出している。第２収納部３２の内部空間は、複数（図示例では２つ）の仕切り壁３２１によって、左右方向において複数（図示例では３つ）の収納エリア３２２に仕切られている。複数の収納エリア３２２の各々には、第１端子部７の第２端子７２又は第２端子部８の第２端子８２が収納される。また、第２収納部３２の上面及び下面には、上下方向に貫通する複数（図示例では３つ）の貫通孔３２３が左右方向に等間隔に設けられている。各貫通孔３２３は、上下方向から見た形状が半楕円形状である。各収納エリア３２２に第２端子７２又は第２端子８２が収納された状態では、第２端子７２又は第２端子８２が各貫通孔３２３から露出している。なお、図２では、第２収納部３２の下面の貫通孔３２３のみが図示されている。
【００２９】
複数の端子載置部３３は、左右方向に並べて配置されており、第２収納部３２の複数の収納エリア３２２と一対一に対応している。複数の端子載置部３３の各々は、上下方向から見た形状が後方に凸となる円弧状であり、第１収納部２２に収納された第１端子７１又は第１端子８１が載せ置かれる。
【００３０】
複数の取付部３４は、ケース本体３１の四隅近傍にそれぞれ設けられている。複数の取付部３４の各々には、前後方向に貫通する円形のねじ挿通孔３４１が設けられている。そして、各ねじ挿通孔３４１に挿通させたねじＳ３をボディプレート２の後面に設けられたねじ部に結合させることで、ボディケース３がボディプレート２に取り付けられる。
【００３１】
カバー４は、例えば、ポリカーボネート（polycarbonate）からなる成形品であり、本実施形態では着色されている。言い換えると、カバー４は、電気絶縁性を有している。カバー４は、図２及び図５Ａ〜図５Ｄに示すように、カバー本体４１と、突台部４２と、一対の腕部４３と、張力止め部４４と、を有している。
【００３２】
カバー本体４１は、後面及び上面が開口した矩形の箱状である。カバー本体４１は、確認窓４１１と、リブ４１２と、を有している。確認窓４１１は、左右方向に長い楕円形状であり、カバー本体４１を前後方向に貫通している。リブ４１２は、カバー本体４１の後面から後方に突出している。なお、確認窓４１１については、「（３．１）確認窓」の欄で詳しく説明する。
【００３３】
突台部４２は、正面視の形状が左右方向に長い矩形状であり、カバー本体４１の上端部においてカバー本体４１の前面から前方に突出している。突台部４２は、ボディプレート２にカバー４が取り付けられた状態において、ボディプレート２の第１収納部２２を覆う（図３参照）。
【００３４】
一対の腕部４３は、カバー本体４１の左右方向の両端部にそれぞれ設けられている。一対の腕部４３の各々は、カバー本体４１の上端部から上方に突出している。一対の腕部４３の各々は、軸部４３１と、突起４３２と、を有している。軸部４３１及び突起４３２は、腕部４３の内側面（他方の腕部４３との対向面）から内方に突出している。軸部４３１は腕部４３の上端部に位置し、突起４３２は軸部４３１の下側に位置している。軸部４３１は、上述した軸受部２２４と共に回転構造１４（図９参照）を構成しており、カバー４は、回転構造１４によってボディ１に回転可能に支持されている。本実施形態では、軸部４３１が設けられたカバー４が第１部材１１であり、軸受部２２４が設けられたボディ１が第２部材１２である。言い換えると、回転構造１４は、軸部４３１と、軸受部２２４と、を含んでいる。軸部４３１は、ボディ１とカバー４との一方からなる第１部材１１に設けられている。軸受部２２４は、ボディ１とカバー４との他方からなる第２部材１２に設けられている。なお、回転構造１４については、「（３．２）回転構造」の欄で詳しく説明する。
【００３５】
張力止め部４４は、正面視の形状が左右方向に長い矩形状であり、カバー本体４１の下端部において一体に形成されている。言い換えると、カバー４は、造営材１００の厚み方向（前後方向）と交差する方向（上下方向）における一端部（下端部）に、ボディ１との間で第１ケーブルＣＡ１を挟む張力止め部４４を有している。張力止め部４４は、ケーブル挿通部４４１と、一対のねじ挿通孔４４２と、リブ４４３と、を有している。ケーブル挿通部４４１は、張力止め部４４の後面側において上下方向に貫通している。ケーブル挿通部４４１は、上下方向から見た形状が左右方向に長い矩形状である。第１端子７１，８１に接続された第１ケーブルＣＡ１は、ケーブル挿通部４４１を通り、カバー４の外側へと引き出される。言い換えると、ケーブルアウトレット１０は、ボディ１にカバー４を取り付けた状態において、第１ケーブルＣＡ１が通り、カバー４の外側に第１ケーブルＣＡ１を露出させるケーブル挿通部４４１を備えている。一対のねじ挿通孔４４２は、張力止め部４４の左右方向の両端部に設けられている。一対のねじ挿通孔４４２の各々は、正面視の形状が円形状であり、張力止め部４４を前後方向に貫通している。各ねじ挿通孔４４２には、ねじＳ２が挿通される。リブ４４３は、ケーブル挿通部４４１の底面（前面）から後方に突出している（図５Ｃ参照）。なお、張力止め部４４については、「（３．４）張力止め部」の欄で詳しく説明する。
【００３６】
化粧プレート５は、例えば、ポリカーボネートからなる成形品であり、本実施形態では着色されている。化粧プレート５は、図２、図３及び図６に示すように、プレート本体５１と、突台部５２と、蓋体保持部５３と、を有している。
【００３７】
プレート本体５１は、後面が開口した矩形の箱状である。プレート本体５１の後面には、複数（図示例では４つ）の引掛爪５１１が設けられている。複数の引掛爪５１１は、プレート本体５１の四隅近傍に設けられている。複数の引掛爪５１１の各々は、プレート本体５１の後面から後方に突出している。複数の引掛爪５１１は、ボディプレート２に設けられた複数の引掛部２１２と一対一に対応している。そして、複数の引掛爪５１１の各々を、複数の引掛部２１２のうち対応する引掛部２１２に引っ掛けることで、ボディ１（ボディプレート２）に化粧プレート５が取り付けられる。言い換えると、化粧プレート５は、化粧プレート５とボディ１との一方に設けられた引掛爪５１１を、化粧プレート５とボディ１との他方に設けられた引掛部２１２に引っ掛けることで、ボディ１に取り付けられる。
【００３８】
突台部５２は、正面視の形状が上下方向に長い矩形状であり、プレート本体５１の前面から前方に突出している。突台部５２は、ボディプレート２の第１収納部２２、及びボディプレート２に取り付けられたカバー４を収納するための収納部として機能する（図３参照）。
【００３９】
化粧プレート５の下面には、上下方向に貫通する開口部５４が設けられている。開口部５４は、上下方向から見た形状が左右方向に長い矩形状であり、プレート本体５１から突台部５２にかけて形成されている。開口部５４の後端部は開放している。また、化粧プレートの下面において開口部５４の左右両側には、上下方向に貫通する貫通溝５５がそれぞれ設けられている。各貫通溝５５は、上下方向から見た形状が左右方向に長い矩形状である。各貫通溝５５の後端部は開放している。ここで、ボディ１に化粧プレート５が取り付けられた状態では、溝２１３と貫通溝５５とで解除孔が構成される。ボディ１から化粧プレート５を取り外す場合、マイナスドライバ等の工具が解除孔に差し込まれる。
【００４０】
蓋体保持部５３は、化粧プレート５の内側で、かつ化粧プレート５の下面において開口部５４の前側に設けられている。蓋体保持部５３は、化粧プレート５の下面から上方に突出する一対の縦片と、一対の縦片の先端同士を連結する連結片とで、後面が開口した箱状に形成されている。蓋体保持部５３は、蓋体６の一部である挿入部６１（後述する）が差し込まれることで蓋体６を保持する。
【００４１】
蓋体６は、例えば、ポリ塩化ビニル（ＰＶＣ：Polyvinyl Chloride）からなる成形品である。蓋体６は、図２及び図６に示すように、上下方向から見た形状が左右方向に長い矩形状である。蓋体６は、挿入部６１と、蓋部６２と、を有している。蓋部６２は、挿入部６１の後端部において一体に形成されている。挿入部６１は、前方から見た形状が左右方向に長い矩形状であって、蓋体保持部５３に挿入可能な大きさに形成されている。蓋体６は、化粧プレート５に蓋体６が取り付けられた状態では、上下方向においてケーブル挿通部４４１と重なっている。言い換えると、蓋体６は、造営材１００の厚み方向（前後方向）と交差する方向（上下方向）から見てケーブル挿通部４４１と重なるように配置される。
【００４２】
蓋部６２は、図６に示すように、複数（図示例では５つ）のスリット支援部６２１を有している。複数のスリット支援部６２１の各々は、本実施形態では、蓋部６２の上面に形成された溝（以下、「溝６２１」ともいう）である。各溝６２１は、蓋部６２の上面において前後方向に沿って直線状に形成されている。複数の溝６２１は、左右方向に等間隔に設けられている。これらのスリット支援部６２１は、蓋部６２にスリット６２２（図１１参照）を入れるための目印であり、スリット支援部６２１に沿って蓋部６２を切断することによってスリット６２２が形成される。言い換えると、蓋体６は、造営材１００の厚み方向（前後方向）と交差する方向（上下方向）に開口するスリット６２２を蓋体６に形成する場合にスリット６２２の形成を支援するスリット支援部６２１を有している。
【００４３】
第１端子部７は、図２に示すように、第１端子７１と、第２端子７２と、連結片７３と、一対の固定片７４と、を有している。第１端子７１及び第２端子７２は、例えば、快削黄銅によって上下方向の両端が開口した円筒状に形成されている。第１端子７１は、筒内に通された第１ケーブルＣＡ１の芯線にねじＳ４を密着させることで、第１ケーブルＣＡ１が接続（固定）される。第２端子７２は、筒内に通された第２ケーブルＣＡ２の芯線にねじＳ４を密着させることで、第２ケーブルＣＡ２が接続（固定）される。
【００４４】
連結片７３は、例えば、ＳＰＣＣ（冷間圧延鋼板）によって前後方向に長い矩形の板状に形成されている。第１端子７１は、連結片７３の前端部における上面にかしめ固定されている。また、第２端子７２は、連結片７３の後端部における下面にかしめ固定されている。つまり、第１端子７１及び第２端子７２は、第１端子７１が上側、第２端子７２が下側となるように、連結片７３にかしめ固定されている。また、第１端子７１及び第２端子７２は、連結片７３によって電気的に接続されている。
【００４５】
一対の固定片７４は、例えば、黄銅からなる。一対の固定片７４の各々は、図２及び図４Ｃに示すように、左右方向に延びる横片と、横片の先端部（右端部又は左端部）から下向きに延びる縦片とで、正面から見た形状がＬ字状に形成されている。各固定片７４の先端部（下端部）には、前後方向に貫通する円形の貫通孔７４１が設けられている。
【００４６】
第２端子部８は、図２に示すように、第１端子８１と、第２端子８２と、連結片８３と、を有している。第１端子８１及び第２端子８２は、第１端子７１及び第２端子７２と同様に、快削黄銅によって上下方向の両端が開口した円筒状に形成されている。第１端子８１は、筒内に通された第１ケーブルＣＡ１の芯線にねじＳ４を密着させることで、第１ケーブルＣＡ１が接続（固定）される。第２端子８２は、筒内に通された第２ケーブルＣＡ２の芯線にねじＳ４を密着させることで、第２ケーブルＣＡ２が接続（固定）される。
【００４７】
連結片８３は、連結片７３と同様に、ＳＰＣＣによって前後方向に長い矩形の板状に形成されている。第１端子８１は、連結片８３の前端部における上面にかしめ固定されている。また、第２端子８２は、連結片８３の後端部における下面にかしめ固定されている。つまり、第１端子８１及び第２端子８２は、第１端子８１が上側、第２端子８２が下側となるように、連結片８３にかしめ固定されている。また、第１端子８１及び第２端子８２は、連結片８３によって電気的に接続されている。
【００４８】
第１端子部７は、図３に示すように、第１端子７１が第１収納部２２に収納され、第２端子７２が第２収納部３２に収納される。また、第１端子部７は、ボディプレート２に取り付けられた第２ねじ固定部９Ｂによって、固定片７４がボディプレート２にかしめ固定される。第２端子部８は、第１端子８１が第１収納部２２に収納され、第２端子７２が第２収納部３２に収納される。そして、第１端子部７及び第２端子部８がボディ１に取り付けられた状態では、第１端子７１及び２つの第１端子８１が左右方向に等間隔に並んでおり、かつ第２端子７２及び２つの第２端子８２が左右方向に等間隔に並んでいる。
【００４９】
第１ねじ固定部９Ａは、ボディ１にカバー４を取り付けるためのねじＳ２と結合可能であり、ボディプレート２に設けられた貫通孔２３２に挿入された状態でボディプレート２にかしめ固定される。第１ねじ固定部９Ａは、図２に示すように、固定部本体９１と、かしめ部９２と、移動規制部９３と、を有している。固定部本体９１は、前後方向の両端が開口した円筒状である。かしめ部９２は、固定部本体９１の前端部に一体に設けられている。移動規制部９３は、固定部本体９１の後端部に一体に設けられている。言い換えると、第１ねじ固定部９Ａは、かしめ部９２と、移動規制部９３と、を含んでいる。かしめ部９２は、造営材１００の厚み方向（前後方向）における第１空間ＳＰ１側（前側）に位置し、ボディ１にかしめ固定される。移動規制部９３は、上記厚み方向における第２空間ＳＰ２側（後側）に位置し、第２面１０２から第１面１０１に向かう向きへの第１ねじ固定部９Ａの移動を規制する。第１ねじ固定部９Ａは、かしめ部９２が前側、移動規制部９３が後側となる向きでボディプレート２の貫通孔２３２に後方から挿入された後、かしめ部９２がボディプレート２にかしめ固定されることでボディプレート２に取り付けられる。なお、第１固定部９Ａについては、「（３．３）取付構造」の欄で詳しく説明する。
【００５０】
第２ねじ固定部９Ｂは、造営材１００の裏面側（後面側）に埋め込まれたボックス３００にボディ１を取り付けるためのねじＳ１と結合可能であり、ボディプレート２に設けられた貫通孔２１１に挿入された状態でボディプレート２にかしめ固定される。第２ねじ固定部９Ｂは、前後方向の両端が開口する円筒状であり、前端部及び後端部においてボディプレート２にかしめ固定される。また、第２ねじ固定部９Ｂは、後端部において第１端子部７の固定片７４と共に、ボディプレート２にかしめ固定される。第２ねじ固定部９Ｂに結合されたねじＳ１は、更にボックス３００にも結合される。つまり、第１端子部７は、第２ねじ固定部９Ｂ及びねじＳ１を介してボックス３００に電気的に接続される。すなわち、本実施形態では、第１端子部７はアース端子（接地端子）として機能する。
【００５１】
（３）カバーの詳細
以下、カバー４の詳細について、図７〜図１０を参照して説明する。
【００５２】
（３．１）確認窓
図７は、化粧プレート５を取り外した状態を斜め下方から見た斜視図である。図７では、ボディ１とカバー４との位置関係が分かりやすいように、カバー４を仮想線で図示している。
【００５３】
ボディ１にカバー４が取り付けられた状態では、カバー４によって充電部１３が覆われている。言い換えると、カバー４は、第１端子７１，８１を含む充電部１３を覆っている。ここでいう「充電部１３」とは、第１端子７１，８１から第２端子７２，８２への給電経路に含まれる導電部分であり、本実施形態では、ねじ挿通孔２２１，２３１から露出するねじＳ４、及び貫通孔２２２から露出する第１端子７１，８１等である。このように、本実施形態に係るケーブルアウトレット１０によれば、充電部１３がカバー４によって覆われており、充電部１３が露出しないようにすることができる。
【００５４】
図７に示す状態では、カバー４に設けられた確認窓４１１を通して、第１端子７１，８１に対する第１ケーブルＣＡ１の接続状態を確認することができる。言い換えると、確認窓４１１は、第１ケーブルＣＡ１における第１端子７１，８１との接続部位のみに対向している。ここでいう「接続部位」とは、第１ケーブルＣＡ１と第１端子７１，８１との接続点だけでなく、この接続点につながる第１ケーブルＣＡ１及び第１端子７１，８１の一部も含まれる。また、確認窓４１１の大きさ（上下方向の開口寸法）は、上記接続部位のみに対向する大きさに形成されていればよく、例えば子供の指が入らない大きさに形成されていることが好ましい。上述のような大きさに確認窓４１１が形成されていれば、感電の危険性を低減しながらも第１端子７１，８１に対する第１ケーブルＣＡ１の接続状態を確認することができる。
【００５５】
（３．２）回転構造
図８は、ボディ１及びカバー４の要部を拡大した断面図である。カバー４の一対の腕部４３の各々には、上述したように、軸部４３１が設けられている。軸部４３１は、ボディプレート２に設けられた軸受部２２４としての凹部２２７の底面２２７１と左右方向において対向する対向面４３１１を有している。対向面４３１１は、第１対向面４３１２と、第２対向面４３１３と、を含んでいる。第１対向面４３１２は、図８に示すように、凹部２２７の底面２２７１と平行であり、ボディ１にカバー４を取り付けた状態で底面２２７１に接触している。なお、図８では、底面２２７１と第１対向面４３１２とを区別できるように、底面２２７１と第１対向面４３１２との間に隙間を空けて図示しているが、実際には、底面２２７１と第１対向面４３１２とが接触している。第２対向面４３１３は、第１対向面４３１２の後端部から連続し、左斜め後方に傾斜している。言い換えると、第２対向面４３１３は、第１対向面４３１２から離れるにつれて底面２２７１から離れる向きに、第１対向面４３１３に対して傾斜している。つまり、本実施形態では、第２対向面４３１３が第１対向面４３１２の前方に位置している。
【００５６】
ここで、ボディ１にカバー４を取り付ける場合には、ボディ１の前方（図８の上方）からカバー４を取り付けることになる。この場合、第１対向面４３１２の前方に位置する第２対向面４３１３が先にボディ１の第１収納部２２の側面に接触することになり、カバー４の取付性が向上する、という利点がある。また、ボディ１にカバー４を取り付ける場合には、軸受部２２４（凹部２２７）の前後方向の両側に位置するリブ２２５，２２６によって、軸部４３１を上下方向に位置決めすることができる。
【００５７】
図９は、カバー４の回転動作を説明するための説明図である。本実施形態のカバー４は、回転構造１４によってボディ１に対して回転可能に支持されている。言い換えると、ケーブルアウトレット１０は、ボディ１に対して、充電部１３を露出させる開位置と充電部１３を覆う閉位置との間でカバー４が回転可能な状態で、ボディ１に対してカバー４を支持する回転構造１４を備えている。図９では、カバー４が閉位置にある状態を仮想線（二点鎖線）で図示し、カバー４が開位置にある状態を実線で図示している。ここで、ボディ１に対するカバー４の開閉角度は、９０度以上であることが好ましく、より好ましくは１４０度であるのがよい。
【００５８】
カバー４が閉位置にある状態では、図９に示すように、第１端子７１，８１を含む充電部１３がカバー４によって覆われている。この状態から、図９において、ボディ１に対して矢印Ａ１の向きにカバー４を回転させることで、充電部１３を露出させることができる。カバー４が開位置にある状態では、図９に示すように、上下方向においてカバー４の突起４３２とボディ１のリブ２２５とが接触している。これにより、開位置から閉位置へのカバー４の回転を規制することができる。つまり、本実施形態では、カバー４の突起４３２とボディ１のリブ２２５とで回転規制部１５が構成されている。言い換えると、回転構造１４は、カバー４が開位置に位置している状態で開位置から閉位置へのカバー４の回転を規制する回転規制部１５を含んでいる。この構成によれば、第１端子７１，８１に第１ケーブルＣＡ１を接続する場合にカバー４が邪魔になりにくい、という利点がある。
【００５９】
また、本実施形態のカバー４は、図３、図５Ａ及び図５Ｃに示すように、上面が開放されている。そのため、ボディ１に対してカバー４を開く場合にカバー４がボディ１に干渉しにくい、という利点がある。
【００６０】
（３．３）取付構造
図１０は、ボディ１にカバー４を取り付けるための取付構造を示す断面図である。上述したように、カバー４は、ねじＳ２によってボディ１に固定される。言い換えると、カバー４は、ねじＳ２でボディ１に取り付けられる。ボディ１には、ねじＳ２が結合可能な第１ねじ固定部９Ａが設けられている。第１ねじ固定部９Ａは、ボディプレート２に設けられた貫通孔２３２に挿入された状態でボディプレート２にかしめ固定される。ここで、貫通孔２３２は、図１０に示すように、小径部２３２１と大径部２３２２とで構成されている。小径部２３２１は、前後方向から見た形状が円形状であり、小径部２３２１の内径寸法は、第１ねじ固定部９Ａの固定部本体９１の外径寸法よりもわずかに大きい。大径部２３２２は、前後方向から見た形状が正方形状であり、大径部２３２２の上下寸法及び左右寸法は、第１ねじ固定部９Ａの移動規制部９３の外形寸法（上下寸法及び左右寸法）よりもわずかに大きい。
【００６１】
第１ねじ固定部９Ａをボディプレート２に取り付ける場合、かしめ部９２が前側、移動規制部９３が後側となる向きで、大径部２３２２側（後側）から貫通孔２３２に第１ねじ固定部９Ａを挿入する。そして、かしめ部９２をボディプレート２にかしめ固定することで、第１ねじ固定部９Ａがボディプレート２に取り付けられる。この状態では、図１０に示すように、第１ねじ固定部９Ａの移動規制部９３の前面が貫通孔２３２の大径部２３２２の端面に接触している。そのため、第１ねじ固定部９ＡにねじＳ２を結合させる際にねじＳ２から加えられる前方への引っ張り力を移動規制部９３によって受けることができる。つまり、移動規制部９３によって第１ねじ固定部９Ａの前方への移動を規制することができる。
【００６２】
（３．４）張力止め部
図３は、造営材１００にケーブルアウトレット１０を取り付けた状態を示す断面図である。第１端子７１（又は第１端子８１）に接続された第１ケーブルＣＡ１は、張力止め部４４の後面側に設けられたリブ４４３と凹所２３の底面とで前後方向に挟まれている。つまり、リブ４４３と凹所２３の底面とが張力止めとして機能している。そのため、外部からの応力が第１ケーブルＣＡ１に加えられた場合でも、第１端子７１（又は第１端子８１）に係る負担を低減することができる。
【００６３】
（４）ケーブル接続
図１１Ａ〜図１１Ｃは、ケーブルアウトレット１０に対する第１ケーブルＣＡ１の接続状態を説明する説明図である。
【００６４】
図１１Ａは、ケーブルアウトレット１０に第１ケーブルＣＡ１を接続する前の状態である。図１１Ａに示す状態では、化粧プレート５の開口部５４が蓋体６で塞がれている。
【００６５】
図１１Ｂは、蓋体６を使用しないで、ケーブルアウトレット１０に第１ケーブルＣＡ１を接続した後の状態である。図１１Ｂに示す例では、化粧プレート５から蓋体６が取り外されており、第１ケーブルＣＡ１が開口部５４を通して化粧プレート５の外側に露出している。
【００６６】
図１１Ｃは、蓋体６を使用して、ケーブルアウトレット１０に第１ケーブルＣＡ１を接続した後の状態である。図１１Ｃに示す例では、化粧プレート５に蓋体６が取り付けられている。ここで、蓋体６には、スリット６２２を形成するためのスリット支援部６２１が設けられており、スリット支援部６２１に沿って蓋部６２を切断することによってスリット６２２が形成される。そして、図１１Ｃに示すように、スリット６２２に沿って蓋部６２を外向きに折り曲げることで、化粧プレート５に蓋体６を取り付けた状態のままで第１ケーブルＣＡ１を外部に引き出すことができる。
【００６７】
（５）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００６８】
上述の実施形態では、化粧プレート５に引掛爪５１１が設けられ、ボディ１（厳密にはボディプレート２）に引掛部２１２が設けられているが、化粧プレート５に引掛部が設けられ、ボディ１に引掛爪が設けられていてもよい。つまり、化粧プレート５とボディ１との一方に引掛爪が設けられ、化粧プレート５とボディ１との他方に引掛部が設けられていればよい。
【００６９】
上述の実施形態では、カバー４が第１部材１１であり、ボディ１が第２部材１２である場合を例として説明したが、例えば、ボディ１が第１部材であり、カバー４が第２部材であってもよい。言い換えると、第１部材であるボディ１に軸部が設けられ、第２部材であるカバー４に軸受部が設けられていてもよい。
【００７０】
上述の実施形態では、第１ケーブルＣＡ１における第１端子７１，８１との接続部位を確認するための確認窓４１１がカバー４に設けられているが、例えば、カバー４が透明である場合には確認窓４１１が省略されていてもよい。このように、確認窓４１１を省略した場合には、充電部１３による感電の危険性を更に低減することができる。また、カバー４が着色されており、かつ確認窓４１１の開口寸法が大きい場合であっても、アクリル等の透明樹脂で確認窓４１１を覆うことで、充電部１３による感電の危険性を低減することができる。
【００７１】
上述の実施形態では、カバー４及び化粧プレート５の材料がポリカーボネートである場合を例として説明したが、カバー４及び化粧プレート５の材料はポリカーボネートに限らず、例えばアクリル等であってもよい。
【００７２】
上述の実施形態では、ボディ１（ボディプレート２及びボディケース３）の全体が樹脂（ユリア樹脂）である場合を例として説明したが、ボディ１の全体が樹脂でなくてもよく、少なくとも化粧プレート５が取り付けられる部位が樹脂であればよい。言い換えると、ボディ１は、少なくとも化粧プレート５が取り付けられる部位が樹脂からなっていればよい。
【００７３】
上述の実施形態では、複数のスリット支援部６２１のうち左右方向の両端に位置するスリット支援部６２１に沿って蓋部６２を切断し、２つのスリット６２２を形成している。これに対して、スリット６２２の個数及び位置は本実施形態に限らず、第１ケーブルＣＡ１の本数、外径等に応じて変更してもよい。
【００７４】
（まとめ）
以上説明したように、第１の態様に係るケーブルアウトレット（１０）は、第１端子（７１，８１）と、第２端子（７２，８２）と、ボディ（１）と、化粧プレート（５）と、カバー（４）と、を備える。第１端子（７１，８１）は、厚み方向の両側に第１面（１０１）及び第２面（１０２）を有する造営材（１００）によって仕切られた一方の第１空間（ＳＰ１）の第１ケーブル（ＣＡ１）が接続される。第２端子（７２，８２）は、第１端子（７１，８１）に電気的に接続され、造営材（１００）によって仕切られた他方の第２空間（ＳＰ２）の第２ケーブル（ＣＡ２）が接続される。ボディ（１）は、第１端子（７１，８１）及び第２端子（７２，８２）を保持する。化粧プレート（５）は、第１端子（７１，８１）及び第２端子（７２，８２）を覆うようにボディ（１）に取り付けられる。カバー（４）は、第１端子（７１，８１）を含む充電部（１３）を覆う。カバー（４）は、造営材（１００）の厚み方向においてボディ（１）と化粧プレート（５）との間に配置され、ボディ（１）に取り付けられる。
【００７５】
この態様によれば、充電部（１３）がカバー（４）で覆われており、充電部（１３）が露出しないようにすることができる。
【００７６】
第２の態様に係るケーブルアウトレット（１０）では、第１の態様において、化粧プレート（５）は、引掛爪（５１１）を引掛部（２１２）に引っ掛けることでボディ（１）に取り付けられる。引掛爪（５１１）は、化粧プレート（５）とボディ（１）との一方に設けられる。引掛部（２１２）は、化粧プレート（５）とボディ（１）との他方に設けられる。カバー（４）は、ねじ（Ｓ２）でボディ（１）に取り付けられる。
【００７７】
この態様によれば、ねじ（Ｓ２）によってカバー（４）がボディ（１）に取り付けられているので、カバー（４）を取り外す場合には工具が必要であり、容易に取り外すことができない、という利点がある。また、ボディ（１）に対して化粧プレート（５）を着脱する場合には、引掛部（２１２）に対して引掛爪（５１１）を着脱するだけでよく、化粧プレート（５）の着脱が容易である、という利点もある。
【００７８】
第３の態様に係るケーブルアウトレット（１０）は、第２の態様において、ねじ（Ｓ２）と結合可能であって、ボディ（１）に固定される第１ねじ固定部（９Ａ）（ねじ固定部）を更に備える。第１ねじ固定部（９Ａ）は、かしめ部（９２）と、移動規制部（９３）と、を含む。かしめ部（９２）は、厚み方向における第１空間（ＳＰ１）側に位置し、ボディ（１）にかしめ固定される。移動規制部（９３）は、厚み方向における第２空間（ＳＰ２）側に位置し、第２面（１０２）から第１面（１０１）に向かう向きへの第１ねじ固定部（９Ａ）の移動を規制する。
【００７９】
この態様によれば、ねじ（Ｓ２）による引っ張り力を移動規制部（９３）で受けており、第１ねじ固定部（９Ａ）の移動を抑えることができる。
【００８０】
第４の態様に係るケーブルアウトレット（１０）では、第１〜３のいずれかの態様において、カバー（４）は、厚み方向と交差する方向における一端部に、ボディ（１）との間で第１ケーブル（ＣＡ１）を挟む張力止め部（４４）を有する。
【００８１】
この態様によれば、張力止め部（４４）によって第１端子（７１，８１）にかかる負担を低減することができる。
【００８２】
第５の態様に係るケーブルアウトレット（１０）では、第１〜４のいずれかの態様において、カバー（４）は、電気絶縁性を有する。
【００８３】
この態様によれば、カバー（４）が充電部（１３）に接触している場合でも、カバー（４）に触れた人が感電しにくい、という利点がある。
【００８４】
第６の態様に係るケーブルアウトレット（１０）では、第１〜５のいずれかの態様において、カバー（４）は、第１ケーブル（ＣＡ１）における第１端子（７１，８１）との接続部位のみに対向する確認窓（４１１）を有する。
【００８５】
この態様によれば、カバー（４）を取り外すことなく、確認窓（４１１）によって第１端子（７１，８１）に対する第１ケーブル（ＣＡ１）の接続状態を確認することができる。
【００８６】
第７の態様に係るケーブルアウトレット（１０）は、第１〜６のいずれかの態様において、ケーブル挿通部（４４１）を更に備える。ケーブル挿通部（４４１）は、ボディ（１）にカバー（４）を取り付けた状態において、第１ケーブル（ＣＡ１）が通り、カバー（４）の外側に第１ケーブル（ＣＡ１）を露出させる。
【００８７】
この態様によれば、ケーブル挿通部（４４１）によって第１ケーブル（ＣＡ１）をカバー（４）の外側に引き出すことができる。
【００８８】
第８の態様に係るケーブルアウトレット（１０）は、第７の態様において、蓋体（６）を更に備える。蓋体（６）は、厚み方向と交差する方向から見てケーブル挿通部（４４１）と重なるように配置される。蓋体（６）は、スリット支援部（６２１）を有する。スリット支援部（６２１）は、厚み方向と交差する方向に開口するスリット（６２２）を蓋体（６）に形成する場合にスリット（６２２）の形成を支援する。
【００８９】
この態様によれば、スリット支援部（６２１）によってスリット（６２２）を容易に形成することができる。
【００９０】
第９の態様に係るケーブルアウトレット（１０）は、第１〜８のいずれかの態様において、回転構造（１４）を更に備える。回転構造（１４）は、ボディ（１）に対して、開位置と閉位置との間でカバー（４）が回転可能な状態で、ボディ（１）に対してカバー（４）を支持する。開位置は、充電部（１３）を露出させる位置である。閉位置は、充電部（１３）を覆う位置である。
【００９１】
この態様によれば、ボディ（１）に対してカバー（４）を回転させるだけで、充電部（１３）を覆ったり、充電部（１３）を露出させたりすることができる。
【００９２】
第１０の態様に係るケーブルアウトレット（１０）では、第９の態様において、回転構造（１４）は、軸部（４３１）と、軸受部（２２４）と、を含む。軸部（４３１）は、ボディ（１）とカバー（４）との一方からなる第１部材（１１）に設けられる。軸受部（２２４）は、ボディ（１）とカバー（４）との他方からなる第２部材（１２）に設けられ、軸部（４３１）を回転可能に保持する。
【００９３】
この態様によれば、カバー（４）の回転構造（１４）を簡単な構成で実現することができる。
【００９４】
第１１の態様に係るケーブルアウトレット（１０）では、第１０の態様において、軸受部（２２４）は、軸部（４３１）が差し込まれる凹部（２２７）である。軸部（４３１）は、ボディ（１）にカバー（４）を取り付けた状態において凹部（２２７）の底面（２２７１）と対向する対向面（４３１１）を有する。対向面（４３１１）は、第１対向面（４３１２）と、第２対向面（４３１３）と、を含む。第１対向面（４３１２）は、底面（２２７１）に接触する。第２対向面（４３１３）は、第１対向面（４３１２）と連続し、第１対向面（４３１２）から離れるにつれて底面（２２７１）から離れる向きに、第１対向面（４３１２）に対して傾斜する。
【００９５】
この態様によれば、第１対向面（４３１２）が凹部（２２７）の底面（２２４１）に接触しているので、カバー（４）の回転動作の安定性が向上する、という利点がある。また、第２対向面（４３１３）が底面（２２７１）から離れる向きに傾斜しているので、凹部（２２７）に軸部（４３１）を差し込みやすい、という利点もある。
【００９６】
第１２の態様に係るケーブルアウトレット（１０）では、第９〜１１のいずれかの態様において、回転構造（１４）は、回転規制部（１５）を含む。回転規制部（１５）は、カバー（４）が開位置に位置している状態で開位置から閉位置へのカバー（４）の回転を規制する。
【００９７】
この態様によれば、第１端子（７１，８１）に第１ケーブル（ＣＡ１）を接続する場合にカバー（４）が邪魔になりにくい、という利点がある。
【００９８】
第１３の態様に係るケーブルアウトレット（１０）では、第１〜１２のいずれかの態様において、ボディ（１）は、少なくとも化粧プレート（５）が取り付けられる部位が樹脂からなる。
【００９９】
この態様によれば、化粧プレート（５）を着脱する場合に感電しにくい、という利点がある。
【０１００】
第２〜第１３の態様に係る構成については、ケーブルアウトレット（１０）の必須の構成ではなく、適宜省略可能である。
【符号の説明】
【０１０１】
１  ボディ
２１２  引掛部
４  カバー
４４  張力止め部
４１１  確認窓
４４１  ケーブル挿通部
５  化粧プレート
５１１  引掛爪
６  蓋体
６２１  スリット支援部
６２２  スリット
９Ａ  第１ねじ固定部（ねじ固定部）
９２  かしめ部
９３  移動規制部
１０  ケーブルアウトレット
１１  第１部材
１２  第２部材
１３  充電部
１４  回転構造
２２４  軸受部
２２７  凹部
２２７１  底面
４３１  軸部
４３１１  対向面
４３１２  第１対向面
４３１３  第２対向面
１５  回転規制部
７１，８１  第１端子
７２，８２  第２端子
１００  造営材
１０１  第１面
１０２  第２面
ＣＡ１  第１ケーブル
ＣＡ２  第２ケーブル
Ｓ２  ねじ
ＳＰ１  第１空間
ＳＰ２  第２空間
【図１】
2019103184.tif 000003
【図２】
2019103184.tif 000004
【図３】
2019103184.tif 000005
【図４】
2019103184.tif 000006
【図５】
2019103184.tif 000007
【図６】
2019103184.tif 000008
【図７】
2019103184.tif 000009
【図８】
2019103184.tif 000010
【図９】
2019103184.tif 000011
【図１０】
2019103184.tif 000012
【図１１】
2019103184.tif 000013